(57)【要約】【課題】  高さを調整可能なゴルフ用のティにおいて、調整した高さを保持可能とする。【解決手段】  ゴルフ用のティにおいて、地面に差し込むための差込部２０には、内部に雌ネジを形成する。ゴルフボールを載置するための載置部４０には、下部に雄ネジを形成する。載置部４０を差込部２０にネジ込む量を調整することにより、載置部４０の高さを相対的に調整することが可能となる。載置部４０と差込部２０との間には、雄ネジに対応したナット３０が取り付けられている。載置部４０の高さを調整した後、ナット３０を回し差込部２０側に止まるまで移動させると、ナット３０から差込部２０にかかる荷重の反作用によって載置部４０には差込部２０から引き抜く方向の力がかかり、この結果、載置部４０と差込部２０との摩擦力が増加して、両者の高さが固定される。【選択図】  図１
2019111175.tif 000002
【特許請求の範囲】
【請求項１】
高さを調整可能なゴルフ用のティであって、
地面に差し込むための差込部と、
ゴルフボールを載置するための載置部とを有し、
前記差込部および前記載置部の一方には、軸方向に雄ネジが形成され、他方には軸方向に当該雄ネジに対応した雌ネジが形成され、前記差込部と前記載置部とは、前記雄ネジ及び雌ネジによって、軸方向に相対的に移動可能に結合されており、
さらに、前記雄ネジには、前記差込部と前記載置部との間に、該雄ネジに対応したナットが取り付けられているティ。
【請求項２】
請求項１記載のティであって、
前記雄ネジは差込部に形成され、
前記雌ネジは載置部に形成されているティ。
【請求項３】
請求項１または2記載のティであって、
前記ナットは、平面形状において十字状に突起が設けられ、該突起の間を、中心側に凹んだ円弧状の曲線で結んだ軸対称形状をなしているティ。
【請求項４】
請求項１〜３いずれか記載のティであって、
前記雌ネジの少なくとも一部が軸方向にわたって、透明または半透明の材料で形成されているティ。
【請求項５】
請求項４記載のティであって、
前記雄ネジの先端が着色されているティ。
【請求項６】
請求項１〜５いずれか記載のティであって、
前記載置部は、前記差込部よりも柔らかい材料で形成されているティ。
【発明の詳細な説明】
【技術分野】
【０００１】
本発明は、高さを調整可能なゴルフ用のティに関する。
【背景技術】
【０００２】
ゴルフをプレイする際には、飛距離を延ばす等の目的で、ゴルフボールを地面より持ち上げた状態で指示するティが使用される。ティの中には、ゴルフボールを支持する高さを調整可能なものも存在する。
例えば、特許文献１は、地面に差し込む挿込部と、ボールを載せる載置部とを分離した構造のティを提案しつつ、載置部の高さをネジによって調整可能な構造を提案している。また、特許文献２は、ティ本体に雄ネジを形成し、ボールを支持する部材には雌ネジを形成することで、ネジによって高さを調整可能なティを提案している。
【先行技術文献】
【特許文献】
【０００３】
【特許文献１】特開２００６−４３４００号公報
【特許文献２】特開２０１０−６９０４３号公報
【発明の概要】
【発明が解決しようとする課題】
【０００４】
しかし、従来技術におけるティは、高さを調整した後、ショットを打つと、その衝撃によって調整した高さがずれてしまうという課題があった。ユーザが、次にティを利用する際には、再び高さを調整する必要があり、この点で利便性に欠けていた。
本願は、かかる課題に鑑み、高さを調整可能なティにおいて、高さを保持可能とすることを目的とする。
【課題を解決するための手段】
【０００５】
本発明は、
高さを調整可能なゴルフ用のティであって、
地面に差し込むための差込部と、
ゴルフボールを載置するための載置部とを有し、
前記差込部および前記載置部の一方には、軸方向に雄ネジが形成され、他方には軸方向に当該雄ネジに対応した雌ネジが形成され、前記差込部と前記載置部とは、前記雄ネジ及び雌ネジによって、軸報告に相対的に移動可能に結合されており、
さらに、前記雄ネジには、前記差込部と前記載置部との間に、該雄ネジに対応したナットが取り付けられているティとして構成することができる。
【０００６】
本発明によれば、差込部と載置部とがネジによって結合されているため、載置部を差込部に対して軸方向に相対的に移動させることにより、ティの高さを調整することができる。本明細書においては、このように高さを調整可能なティをアジャスタブルティと称することもある。
本発明のティは、さらに、載置部と差込部との間にナットを設けている。ナットの作用は、次の通りである。載置部の高さを調整した後、ナットを回し差込部側に止まるまで移動させると、ナットから差込部にかかる荷重の反作用によって載置部には差込部から引き抜く方向の力がかかり、この結果、載置部と差込部との摩擦力が増加して、両者の高さが固定される。従って、本発明によれば、高さを調整可能なゴルフ用のティにおいて、使用した後も、調整後の高さを保持することが可能となる。
【０００７】
本発明のティは、種々の材料で形成することができるが、樹脂で形成することが好ましい。ショットに対する強度を考えると、ポリカーボネイトを材料の候補とすることができる。
本発明において、差込部の先端は、地面に差込みやすいよう、細くとがらせることが好ましい。軸対称に細くするだけでなく、薄板状の形状としてもよい。
仮に、ティの高さを調整したとしても、差込部を地面に差し込む深さが安定しなくては、地面に対するボールの高さも安定しない。そこで、差込部には、地面への差込深さが一定となるよう、不連続的に径または幅が大きくなる円盤状またはスカート状のストッパーを設けても良い。こうすることで、よりボールの高さを安定して保持可能なティとすることができる。ストッパーは、差込部に一体的に形成してもよいし、差込部と別の部材とし、差込部に対して移動可能としてもよい。
載置部の上部には、ボールを安定して保持できるように凹部を設けても良い。
【０００８】
本発明においては、雌ネジを差込部に設け、雄ネジを載置部に設けるものとしてもよいし、逆に、雌ネジを載置部に設け、雄ネジを差込部に設けるものとしてもよい。
このように本発明は、いずれの構成をとることも可能であるが、
前記雄ネジは差込部に形成され、
前記雌ネジは載置部に形成されているものとすることがより好ましい。
【０００９】
上記態様、即ち、載置部が雄ネジとなる構造では、載置部を雌ネジとする構造よりも、ネジ部分の断面積を細くなり、その分、曲げに対する柔軟性を向上させることができる。ゴルフ用のティでは、ショットの際にクラブにかかる衝撃の緩和も重要な要素であり、かかる観点から、上記態様によれば、曲げに対する柔軟性によって、ショットにかかる衝撃を緩和できる点で好ましい。
また、何度も繰り返しショットした実験の結果、ショットによってティが折れる場合には、雄ネジとナットの境界部分で折れることが多いことが分かった。つまり、載置部に雄ネジを形成すれば、載置部が破損することになり、差込部に雄ネジを形成すれば差込部が破損することになる。本発明のように、載置部と差込部とを別部材で形成する場合には、差込部よりも載置部の方が単純な形状になることが多く、製造コストも安価で済むことが多い。よって、載置部に雄ネジを形成すれば、ショットによって破損する場合であっても、製造コストが高い差込部が破損することを回避できる利点がある。
なお、雄ネジとナットの境界部分で折れるため、載置部が破損した場合でも、ナットを外せば、雄ネジの残骸部分が差込部から突き出す形となり、この残骸を取り外すことも容易に行うことができる。これは、本発明において、ナットを設けている副次的な作用ということができる。
【００１０】
本発明において、ナットは、いわゆる平面六角形など、種々の形状をとり得るが、
前記ナットは、平面形状において十字状に突起が設けられ、該突起の間を、中心側に凹んだ円弧状の曲線で結んだ軸対称形状をなしているものとしてもよい。
ゴルフ用のティを使用する際には、スパナ他の工具を利用しないことが通常であるから、指でナットを締めたり緩めたりできることが好ましい。上記態様のように、十字状を基本とした形状とすれば、円弧状の曲線部分を比較的長くとることができ、また円弧の曲率を大きくすることも可能となり、指にひっかかり易い平面形状を実現することが可能となる。この結果、工具なしで扱い易いナットを実現することができる。
【００１１】
本発明のティにおいては、載置部、差込部のいずれに雌ネジが形成されているかに関わらず、
前記雌ネジの少なくとも一部が軸方向にわたって、透明または半透明の材料で形成されているものとしてもよい。
こうすることにより、高さを調整した結果、雄ネジの先端が雌ネジのどの位置まで挿入されているかを視覚的に確認することが可能となる。従って、高さがずれた後や、部品が破損した後など、あらためて高さを調整する必要が生じたときに、従前と同じ高さを再現する目安とすることができる。
上記態様においては、雌ネジ全体を透明または半透明としてもよい。また、軸方向にわたってスリット状に透明または半透明の部分を設けても良い。
また、雄ネジの先端位置を記憶しやすいよう、透明または半透明の部分に、メモリなどを設けてもよい。
【００１２】
このように透明または半透明の部分を設ける場合は、
前記雄ネジの先端が着色されていることも好ましい。
こうすることにより、雄ネジの先端の位置をより確認しやすくなる。雄ネジは、透明、半透明、不透明のいずれであってもよい。また、雄ネジの先端部分のみが着色されていても、全体にわたって着色されていてもよい。
【００１３】
本発明においては、
前記載置部は、前記差込部よりも柔らかい材料で形成されているものとしてもよい。
柔らかいとは、曲げに対する柔軟性を意味する。こうすることにより、ショットの際にクラブに対する衝撃を緩和することができる。また、差込部は、載置部よりも剛性を確保できるため、地面に対してしっかり保持しつつ、載置部の柔軟性を確保することができる利点がある。例えば、差込部をポリカーボネイトとし、載置部をＭＣナイロンとすることができる。
【００１４】
本発明は、上述した種々の特徴を全て備えている必要はなく、適宜、その一部を省略したり組み合わせたりして構成してもよい。
【図面の簡単な説明】
【００１５】
【図１】実施例におけるアジャスタブルティの構造を示す説明図である。
【図２】アジャスタブルティの分解図である。
【図３】ナットによる作用を示す説明図である。
【発明を実施するための形態】
【００１６】
以下、本発明の実施例としてのアジャスタブルティについて説明する。
図１は、実施例におけるアジャスタブルティの構造を示す説明図である。アジャスタブルティ１０は、ネジを利用して高さを調整可能となっている。図１（ａ）には、地面からのボールの高さが最も低くなる状態、図１（ｂ）には、ボールの高さが最も高くなる状態をそれぞれ示した。
【００１７】
以下、構造について説明する。アジャスタブルティ１０は、地面に差し込むための差込部２０と、ボールを置くための載置部４０をネジで結合した構造となっている。
差込部２０は、軸対称の形状であり、上側の本体部２３には内部に雌ネジが形成されている。下側の軸部２２は、地面に差し込みやすいよう、先端がとがった形状となっている。軸部２２は、必ずしも軸対称である必要はなく、薄板のくさび状の形状としてもよい。本体部２３と軸部２２は、ほぼ同じ長さとしてあるが、長さの比は任意に設定可能である。本体部２３と軸部２２との境界には、本体部２３よりも径が大きいスカート部２１が形成されている。
本実施例では、スカート部２１は、本体部２３から下側に向かって徐々に径が大きくなる形状、つまり側面から見た時に台形となる形状であるが、円盤形状としてもよい。また、本実施例では、スカート部２１は、本体部２３と一体的に形成しているが、別部材としてもよい。別部材とするときは、スカート部２１の取り付け位置を調整可能としてもよい。
載置部４０の下側には差込部２０の雌ネジに対応した雄ネジ４２が形成されている。載置部４０の上端は、ボールを置くための凹部４１が形成されている。
雄ネジ４２には、ナット３０が取り付けられている。ナット３０は、雄ネジ４２に対応したものであり回転させることによって上下に移動可能である。
【００１８】
アジャスタブルティ１０は、載置部４０を回転させることにより、差込部２０に対する雄ネジ４２の挿入長さが変わり、高さを調整することができる。地面に差し込むと、アジャスタブルティ１０はスカート部２１の下面が地面に当たった状態で止まるから、図１（ａ）に示した最も低い状態では、ボールの高さは、地面からＨ１に保持されることになる。一方、図１（ｂ）に示したように、載置部４０を最も高い位置にした状態では、ボールの高さは、地面からＨ２に保持されることになる。このように、アジャスタブルティ１０は、載置部４０の高さを調整することにより、ボールを支持する高さを調整することができる。載置部４０の位置は、雄ねじ４２の差し込み量で決まるから、ボールの高さは、図１中に示したＨ１、Ｈ２の２段階だけではなく、この間で無段階に連続的に調整可能である。
またアジャスタブルティ１０は、ナット３０によって、調整した高さを保持することができるが、その作用については後述する。
【００１９】
図２は、アジャスタブルティの分解図である。図２（ａ）には、各部品の側面図を示した。図１で説明した通り、アジャスタブルティは、差込部２０、ナット３０、および載置部４０で構成される。差込部２０および載置部４０の形状については既に説明した通りである。
【００２０】
図２（ｂ）には、ナット３０の平面形状を示した。実施例のナットは、中央に孔３３が形成され、その内面には、雄ネジ４２に対応した雌ねじが形成されている。また、十字状に突起３１が設けられ、該突起３１の間を、中心側に凹んだ円弧状の曲線部３２で結んだ軸対称形状をなしている。曲線部３２の曲率は、標準的な人の指にひっかかる程度となっている。突起３１が十字状に形成されているため、円弧状の曲線部分を比較的長くとることができ、また円弧の曲率を大きくすることも可能となっている。
かかる形状とすることにより、実施例のナット３０は、指にひっかかり易い平面形状を実現することができ、工具なしで扱い易いナットを実現することができる。
【００２１】
差込部２０の本体部２３の長さＬ１、載置部４０の雄ネジ４２の長さＬ３、およびナット３０の厚みＬ２は、それぞれ任意に決定すればよいが、Ｌ１＋Ｌ２＝Ｌ３としておくことが好ましい。こうすることにより、図1（ａ）に示したように、ナット３０の厚みが支障になることなく、雄ネジ４２を本体部２３の奥まで深く挿入することが可能となる。従って、ボールの高さの調整可能な範囲（Ｈ２−Ｈ１）を最大化することが可能となる。
【００２２】
次にナット３０の作用について説明する。図３は、ナット３０による作用を示す説明図である。図示するように、実施例のアジャスタブルティ１０では、雄ネジ４２の挿入量を調整することで、載置部４０の高さを調整する。そして、高さを調整した後は、ナット３０を回転させて、差込部２０の本体部２３の上面に押し付け、締め付ける。
このとき、ナット３０から本体部２３の上面には、図に示す荷重Ｆ１がかかる。そして、この反作用がナット３０にも荷重がかかるため、結果として、ナット３０から雄ネジ４２に対して、図中のＦ２のように、雄ネジ４２を本体部２３から引き出す方向の荷重がかかる。このようにナット３０を締め付けることによって、雄ネジ４２と本体部２３とに荷重が作用し、両者間の摩擦力が増大する。従って、ショット等をした後も、調整した高さを保持することが可能となるのである。
【００２３】
実施例の本体部２３は、全体が透明の部材で形成されている。半透明であってもよい。透明または半透明の材質を利用することで、雄ネジ４２の挿入量を視覚的に把握することができる。図３の例では、スカート部２１の下面から高さＨａの位置まで雄ネジ４２の先端が挿入されていることがわかる。この先端の位置Ｈａを記憶しておけば、次に新たなアジャスタブルティを購入した場合や、載置部４０を交換したとき、その他の理由で、改めて高さを調整する必要が生じたときに、先端の位置Ｈａを目安にすることで、自身の好みの高さに比較的容易に調整できる利点がある。
実施例のように全体を透明にする構成に代えて、本体部２３に、軸方向にわたって透明または半透明のスリット状の窓を設けてもよい。
【００２４】
実施例のナット３０には、次に示す作用もある。アジャスタブルティ１０を利用してショットをすると、破損は、雄ネジ４２とナット３０との境界Ｐで生じることが実験によって確認された。破損が生じると、新たな載置部４０に交換することになるが、まずは、本体部２３に残った雄ネジ４２の残骸を除去する必要が生じる。本実施例では、本体部２３の上にナット３０が取り付けられているから、点Ｐで破損した場合であってもナット３０を取り外せば、雄ネジ４２の残骸が、本体部２３から少なくともナット３０の厚み相当分は突き出した状態となる。従って、この部分を手またはペンチなどの工具でつかんで回すことにより、雄ネジ４２の残骸を比較的容易に除去することが可能となる。
【００２５】
以上、実施例のアジャスタブルティについて説明した。実施例のアジャスタブルティによれば、無段階にボールを支持する高さを調整できるとともにナット３０の作用によって、調整した高さを保持することができる。
【００２６】
本実施例において、上述した種々の特徴は、必ずしも全てを備えている必要はなく、適宜、その一部を省略したり、組み合わせたりしてもよい。また、本実施例は、種々の変形例を構成することも可能である。
（１）  実施例では、差込部２０を雌ねじ、載置部４０を雄ネジとしたが、逆に、差込部２０を雄ネジ、載置部４０をめねじとしてもよい。
（２）  実施例では、雄ネジ４２も透明または半透明の材質としたが、雄ネジ４２の先端部分に着色を施してもよい。こうすれば、本体部２３への挿入量をより視覚的に把握しやすくなる。
（３）  実施例では、全体をポリカーボネイト製としたが、材料は種々の選択が可能である。載置部４０の材料を差込部２０よりも曲げに対して柔軟な材料とすることも好ましい。一例として、差込部２０をポリカーボネイトとし、載置部４０をＭＣナイロンとすることが考えられる。載置部４０を柔軟な材料とすることにより、ショットの際にクラブにかかる衝撃を緩和することが可能となる。
（４）  また、載置部４０を不透明または有色の材料としてもよい。上述のＭＣナイロンを候補とすることができる。かかる材料を用いることにより、雄ネジ４２の挿入量をより容易かつ正確に把握できる利点がある。
【産業上の利用可能性】
【００２７】
本発明は、高さを調整可能なゴルフ用のティを提供するために利用することができる。
【符号の説明】
【００２８】
１０   アジャスタブルティ
２０   差込部
２１   スカート部
２２   軸部
２３   本体部
３０   ナット
３１   突起
３２   曲線部
３３   孔
４０   載置部
４１   凹部
４２   雄ネジ
【図１】
2019111175.tif 000003
【図２】
2019111175.tif 000004
【図３】
2019111175.tif 000005